(57)【要約】      （修正有）【課題】夜間にも使用者が容易に識別できることはもちろん、打撃されたボールの方向を指示して打撃に対する結果を肉眼で認知できるので、練習効率を向上させると共に、特に、使用者に練習場の環境（例えば、風向及び風速）に関する情報を提供して実際のゴルフ場で運動する効果を得ることができるゴルフ練習用ターゲットを提供する。【解決手段】本体５と、本体５に備えられ、打撃されたゴルフボールを感知してゴルフボールの軌跡、速度及び本体５への衝撃有無を感知するように構成された感知手段６と、本体５に備えられ、感知手段６により感知されたゴルフボールの運動に対する結果を点滅により視覚的に表示するように構成された視覚的表示手段と、感知手段６を通じたゴルフボールの運動に対する感知結果を演算して、視覚的表示手段の点滅による表示を制御する制御手段と、を含む。【選択図】図１
2016030199.tif 000002
【特許請求の範囲】
【請求項１】
本体と、
前記本体に備えられ、打撃されたゴルフボールを感知して前記ゴルフボールの軌跡、速度及び前記本体への衝撃の有無を感知するように構成された感知手段と、
前記本体に備えられ、前記感知手段により感知されたゴルフボールの運動に対する結果を点滅により視覚的に表示する視覚的表示手段と、
前記感知手段を通じてゴルフボールの運動に対する感知結果を演算して、前記視覚的な表示手段の点滅による表示を制御する制御手段と、を含むことを特徴とするゴルフ練習用ターゲット。
【請求項２】
前記視覚的表示手段は、
光源から光を照射受け導光して前記本体の表面で発光するようになった導光板、
前記本体に同心円上に配列され、それぞれ独立的に発光有無が制御される多数の発光子、または、
前記本体に垂直に配置され、それぞれ独立的に発光有無が制御される多数の指示光子と、水平に配置され、それぞれ独立的に発光有無が制御される多数の指示光子、のうちいずれか一つ以上を備えることを特徴とする請求項１に記載のゴルフ練習用ターゲット。
【請求項３】
前記制御手段は、
前記感知手段によりゴルフボールが前記本体に衝撃した場合、前記視覚的表示手段を点滅させることを特徴とする請求項１に記載のゴルフ練習用ターゲット。
【請求項４】
前記制御手段は、
使用者がゴルフボールを打撃する空間的な範囲に対する風向または風速情報を受け、前記視覚的表示手段を通じて風向または風速を指示するためのパターンによって前記点滅信号を調節するように構成されたことを特徴とする請求項１に記載のゴルフ練習用ターゲット。
【請求項５】
前記制御手段は、
使用者が打撃したゴルフボールが前記本体を外れた運動軌跡を有する場合、前記視覚的表示手段を通じて前記ゴルフボールの運動方向に対する表示をする点滅信号を調節するように構成されたことを特徴とする請求項１に記載のゴルフ練習用ターゲット。
【請求項６】
前記制御手段は、
使用者が打撃したゴルフボールの軌跡を前記感知手段を通じて入力され、ゴルフボールの軌跡に対応して、前記視覚的表示手段に該当する点滅信号を制御してゴルフボールの軌跡に対する結果を表示するように構成されたことを特徴とする請求項２に記載のゴルフ練習用ターゲット。
【請求項７】
前記本体の内部空間は、
貫通された貫通孔を有し、
前記貫通孔には、遮断膜が設けられ、前記貫通孔を閉鎖することを特徴とする請求項１に記載のゴルフ練習用ターゲット。
【請求項８】
前記本体は、
固定フレームに軸固定され、ゴルフボールが前記本体に衝撃することにより後方にフォールディングされ回転するように制御され、
前記固定フレームには、
回転した前記本体を元の位置に復帰するように電動ヒンジ、がさらに備えられることを特徴とする請求項１に記載のゴルフ練習用ターゲット。
【請求項９】
前記電動ヒンジは、
縦断が前記固定フレームに回動可能に軸結合され、ピストンロードの縦断は前記本体の一端部に回動可能に軸結合されるシリンダーからなることを特徴とする請求項８に記載のゴルフ練習用ターゲット。
【発明の詳細な説明】
【技術分野】
【０００１】
本発明は、ゴルフ練習場に適用され、使用者がボールで目標物を打撃するゴルフ練習用ターゲット（Ａ  ｔａｒｇｅｔ  ｆｏｒ  ｅｘｅｒｃｉｓｉｎｇ  ｇｏｌｆ）に関するものであり、より詳しくは、夜間にも使用者が容易に識別できることはもちろん、打撃されたボールの方向を指示して打撃に対する結果を肉眼で認知できるので、練習効率を向上させると共に、特に、使用者には練習場の環境（例えば、風向及び風速）に関する情報を提供して実際のゴルフ場で運動する効果を得ることができるゴルフ練習用ターゲットに関するものである。
【背景技術】
【０００２】
一般的にゴルフ練習場は、ゴルフ練習者が打席で打撃したゴルフボールが前方に向かって飛行して自由落下するか、遮断ネットにぶつかって落下され、ゴルフボールを回収するようになっている。
【０００３】
よって、ゴルフ練習者（以下、「使用者」と言う）は、前方に向かって単純にボールを打撃する単調な打撃動作を反復する練習しかできず、ゴルフボールの飛行軌跡も単調なので、興味を誘発させることができなくて練習効率が落ちるという問題点があった。
【０００４】
これによって、最近では、ゴルフボールを打撃するときにその目標点となるターゲットをゴルフ練習場の前方の遮断ネットに配置して、ターゲットを目標として打撃練習を遂行するようになっており、使用者の興味を高めるために前記ターゲットに各種機能を加えて練習効率を高めるようになったゴルフ練習用ターゲットが提案されて使用されている。
【０００５】
このようなゴルフ練習用ターゲットの一つとして、特許文献１のゴルフ練習場用ターゲットがあり、前記ターゲットは、公報に記載されたように、ゴルフ練習者が打撃したゴルフボールがゴルフ練習場の外部へ飛ぶことができないように遮断する遮断ネットを有しているゴルフ練習場に設けられ、ゴルフ練習者がゴルフボールを打撃して当てる目標とするゴルフ練習場用ターゲットにおいて、前記遮断ネットの内側に位置し、ゴルフ練習者が打撃したゴルフボールがぶつかる所定の面積を有するターゲットネット、前記ターゲットネットにゴルフボールがぶつかることを感知して電気的な信号を発生させる感知手段、及び前記感知手段に電気的に連結され、前記ターゲットネットに前記ゴルフボールがぶつかったことを前記ゴルフ練習者に知らせることができるお知らせ手段を有するように構成されている。
【０００６】
すなわち、使用者が前記ターゲットネットに当てた場合、打撃音を出して使用者の興味を誘発させるようになっている。
【０００７】
そして、特許文献２のゴルフ練習システムは、公報に記載されたように、目標地点表示部を真ん中に有するターゲットと、前記ターゲットの後方でターゲットに打たれたゴルフボールの弾着点を検出する弾着点感知部と、前記弾着点の感知部で獲得されたゴルフボールの弾着データを入力受けてゴルフ練習者と隣接したところに設けられたフィードバックユニットに出力する制御器を含めて構成されたものを提案した。
【０００８】
これにより、ゴルフ練習者がターゲットに向かってゴルフボールを打撃するとターゲット上のゴルフボールの弾着点を迅速かつ正確にリアルタイムで認識できて打撃練習効率を高めることができるようになっている。
【先行技術文献】
【特許文献】
【０００９】
【特許文献１】韓国特許登録番号第１０−６７９４８２号
【特許文献２】韓国公開特許番号第１０−２００９−１２９１６０号
【発明の概要】
【発明が解決しようとする課題】
【００１０】
しかし、前記のような従来のゴルフ練習用ターゲットは、夜間には適用することが容易ではなく、効率性が落ちるという問題点かあり、特にその構造が複雑で非経済的であるという問題点があった。
【００１１】
また、使用者に風向及び風速のような打撃環境を提供できないので、練習効率をさらに増大させることができないという問題点があった。
【００１２】
本発明は、前記のような従来の問題点を解決するために提案されたものであり、本発明の目的は、夜間にも使用者が容易に識別できることはもちろん、打撃されたボールの方向を指示して打撃に対する結果を肉眼で認知できるので、練習効率を向上させると共に、特に使用者に練習場の環境（例えば、風向及び風速）に関する情報を提供して実際のゴルフ場で運動する効果を得ることができるゴルフ練習用ターゲットを提供することにある。
【課題を解決するための手段】
【００１３】
前記のような本発明の目的を達成するための本発明のゴルフ練習用ターゲットは、本体と、前記本体に備えられ、打撃されたゴルフボールを感知して前記ゴルフボールの軌跡、速度及び前記本体への衝撃の有無を感知するように構成された感知手段と、前記本体に備えられ、前記感知手段により感知されたゴルフボールの運動に対する結果を点滅により視覚的に表示する視覚的表示手段と、前記感知手段を通じてゴルフボールの運動に対する感知結果を演算して、前記視覚的な表示手段の点滅による表示を制御する制御手段と、を含むことを特徴とする。
【００１４】
前記視覚的表示手段は、光源から光を照射受け導光して前記本体の表面で発光するようになった導光板、前記本体に同心円上に配列され、それぞれ独立的に発光有無が制御される多数の発光子、または、前記本体に垂直に配置され、それぞれ独立的に発光有無が制御される多数の指示光子と、水平に配置され、それぞれ独立的に発光有無が制御される多数の指示光子、のうちいずれか一つ以上を備えることを特徴とする。
【００１５】
前記制御手段は、前記感知手段によりゴルフボールが前記本体に衝撃した場合、前記視覚的表示手段を点滅させるものであり、使用者がゴルフボールを打撃する空間的な範囲に対する風向／風速情報を受け、前記視覚的表示手段を通じて風向を指示するためのパターンによって前記点滅信号を調節し、使用者が打撃したゴルフボールが前記本体を外れた運動軌跡を有する場合、前記視覚的表示手段を通じて前記ゴルフボールの運動方向に対する表示をするようになった点滅信号を調節し、使用者が打撃したゴルフボールの軌跡を前記感知手段を通じて入力受け、ゴルフボールの軌跡に対応して、前記視覚的表示手段に該当する点滅信号を制御してゴルフボールの軌跡に対する結果を表示するように構成されたことを特徴とする。
【００１６】
前記本体の内部空間は、貫通された貫通孔を有し、前記貫通孔には遮断膜が設けられ、前記貫通孔を閉鎖するようになっており、前記本体において、前記遮断膜の内側に前記視覚的表示手段及び感知手段が備えられることを特徴とし、前記本体は固定フレームに軸固定され、前記衝撃感知センサーで感知された感知データを演算して制御され、後方にフォールディングされ回転するように構成され、前記固定フレームには、回転された前記本体を元の位置に復帰するように電動ヒンジがさらに備えられることを特徴とする。
【００１７】
前記電動ヒンジは、縦断が前記固定フレームに回動可能に軸結合され、ピストンロードの縦断は前記本体の一端部に回動可能に軸結合されるシリンダーからなることを特徴とする。
【発明の効果】
【００１８】
前記のようになっている本発明のゴルフ練習用ターゲットは、前記導光板を通じて夜間にも使用者が容易に識別でき、時間にこだわらないので効用性が増大されるという効果を有する。
【００１９】
また、前記感知手段と視覚的表示手段を通じて打撃されたゴルフボールの軌跡と弾着点をリアルタイムで容易に把握できることはもちろん、正確な打撃が行われる場合には前記本体が後方に倒れて回転するので、使用者に達成感を誘発させて練習に対する興味誘発が増大される。
【００２０】
これと共に、前記視覚的指示手段を通じて、練習空間でゴルフボールの軌跡に直接的な影響を与える風向及び風速を使用者に提供することができ、実際のゴルフ場で運動する効果を具現できるので練習効率をさらに増大させることができる。
【００２１】
また、前記のような効果を別途の空間を提供して具現するのではなく、前記本体の内部で具現することができるので、構造的な単純化を通じて経済的な利益をもたらすことができる。
【図面の簡単な説明】
【００２２】
【図１】本発明による一実施例によるゴルフ練習用ターゲットを示す正面例示図。
【図２】本実施例によるゴルフ練習用ターゲットを示す断面例示図。
【図３】本実施例によるゴルフ練習用ターゲットを通じて使用者に打撃情報を認知させる状態を示す概略例示図。
【図４】本実施例によるゴルフ練習用ターゲットを通じて使用者に打撃情報を認知させる状態を示す概略例示図。
【図５】本実施例によるゴルフ練習用ターゲットを通じて使用者に打撃結果に対する情報を認知させる状態を示す概略例示図。
【図６】本実施例によるゴルフ練習用ターゲットを通じて使用者に打撃結果に対する情報を認知させる状態を示す概略例示図。
【図７】本実施例によるゴルフ練習用ターゲットの使用状態を示す概略例示図。
【図８】本実施例によるゴルフ練習用ターゲットの適用状態を示す概略例示図。
【図９】本発明による一実施例によるゴルフ練習用ターゲットを示す概略例示図。
【図１０】本発明による一実施例によるゴルフ練習用ターゲットを示す概略例示図。
【発明を実施するための形態】
【００２３】
以下では、本発明の好ましい実施例及び添付する図面を参照して本発明を詳細に説明する。一方、図面の同一の参照符号は同一の構成要素を示すことを前提として説明する。
【００２４】
発明の詳細な説明または特許請求の範囲において、いずれか一つの構成要素が他の構成要素を「含む」ということは、特に反対の記載がない限り当該構成要素だけで成されることと限定されて解釈されてはならず、他の構成要素をさらに含むことができるということを意味する。
【００２５】
図１乃至図８は、本発明による一実施例によるゴルフ練習用ターゲットを示す図面であり、本実施例によるゴルフ練習用ターゲット（１）は、図８に示されたように、遮断ネット（２）により区切られた空間の内部で使用者の前方に設けられ、ゴルフボール（３）の打撃時の目標点として使用される。
【００２６】
このような本実施例によるゴルフ練習用ターゲット（１）は、図１及び図２に示されたように、内部に空間的面積を有する周縁状の発光体（ｌｉｇｈｔｉｎｇ  ｏｂｊｅｃｔ）を備える本体（５）を有する。
【００２７】
すなわち、図３に示されたように、前記本体（５）上で前記発光体を通じて光を発光して周縁状の光を使用者が認知できるように提供するので、夜間にも容易に目標点を認知できるように構成されている。
【００２８】
前記において、前記本体（５）は、金属材質の板からなることが好ましいが、これに限るものではなく、前記発光体を固定する溝が形成されることが好ましい。
【００２９】
そして、前記発光体は、光を反射する蛍光物質を含んで反射光を放出させるように形成できるが、好ましくは別途の光源から光を照射受けて全面積に導光するようになったドーナツ状の導光板（ｌｉｇｈｔ  ｇｕｉｄｅ  ｐｌａｔｅ：４）からなることが最も好ましい。この場合、前記本体（５）には、前記導光板（４）に光を照射することができる発光装置（未図示）が別途付着されることが好ましい。
【００３０】
前記のように行われる本実施例によるゴルフ練習用ターゲット（１）は、前記本体（５）に備えられ、打撃されたゴルフボール（３）を感知して軌跡、速度及び前記本体（５）への衝撃有無を感知する感知手段（６）を有する。
【００３１】
すなわち、前記感知手段（６）を通じて打撃されたゴルフボール（３）の軌道、速度及び前記本体（５）への衝撃有無を感知してゴルフボールの運動に関する情報を獲得するようになっている。
【００３２】
前記において、前記感知手段（６）は、超高速カメラを通じて設定されたデータに基づいて演算してゴルフボールの軌道及び弾着点を追跡できるように構成することもできる。
好ましくは、図７に示されたように、１つ以上の超音波発信部と３つ以上の超音波受信部からなって、反射された超音波データに基づいて演算して打撃されたゴルフボール（３）の３次元座標をリアルタイムで追跡できるように構成されることが最も好ましい。
【００３３】
また、高価の超高速カメラの代わりに低価の超音波センサーを用いてボールの動きを追跡することで経済的に提供することもできる。
【００３４】
これと共に、前記ゴルフボール（３）の前記本体（５）への衝撃が感知できる衝撃感知センサーを含むことが好ましい。
【００３５】
そして、本実施例によるゴルフ練習用ターゲット（１）は、前記本体（５）に備えられ、前記感知手段（６）により感知されたゴルフボール（３）の運動データを点滅により視覚的に表示する視覚的表示手段を有する。
【００３６】
すなわち、前記視覚的表示手段の点滅により使用者が、打撃したゴルフボール（３）の弾着点を認知しながら打撃練習をすることができるので、練習効率が増大される。
【００３７】
前記において、前記視覚的表示手段は、前記本体（５）において前記導光板（４）より大きい内径を有し、同心円上に配列され、それぞれ独立的に発光有無が制御される多数の発光子（ｌｉｇｈｔ  ｅｍｉｔｔｉｎｇ  ｌａｍｐ：７）を有することが好ましい。
【００３８】
すなわち、前記本体（５）に正確に打撃された場合には、図５に示されたように、前記発光子（７）を全部発光させて使用者がこれを認知できるようにし、ゴルフボール（３）の弾着点が前記本体（５）の外側に形成されると、図６に示されたように前記本体（５）を中心に弾着点に位置される方向に配置された前記発光子（７）のうち一部を発光させて使用者が弾着点の方向を認知できるようになっている。
【００３９】
よって、使用者が自分が打撃したゴルフボール（３）の軌道をリアルタイムで認知しながら練習できるので練習効率が向上される。
【００４０】
また、本実施例によるゴルフ練習用ターゲット（１）において、前記視覚的表示手段は、ゴルフボールを打撃する空間的範囲の環境を構成する風向と風速のデータの入力を受けて点滅により表示することが好ましい。
【００４１】
すなわち、前記視覚的表示手段を通じて使用者にゴルフ練習空間で風速及び風向が提供できるので、使用者が実際のゴルフ場（３）の環境で打撃する効果を奏することができる。
【００４２】
よって、打撃練習に対する効用性が向上される。
【００４３】
前記において、前記視覚的表示手段は、前記本体（５）で前記導光板（４）の内部空間上に、互いに直角に交差するように配列されてなり、垂直に配置され、それぞれ独立的に発光有無が制御される多数の指示光子（ｉｎｄｉｃａｔｉｏｎ  ｌｉｇｈｔ  ｌａｍｐ：８）と、水平に配置され、それぞれ独立的に発光有無が制御される多数の指示光子（８）らの組み合わせが好ましい。
【００４４】
すなわち、前記指示光子（８）を個別的に発光させ、入力受けた風の方向に対して上下左右に区分して発光させることにより正確な風向を表示させることができる。
【００４５】
このとき、図４に示されたように、風の方向が上下左右のうち一つの方向である場合には、前記本体（５）の中心で該当する方向側の指示光子（８）を発光させてその方向を認知できるようにする。
【００４６】
前記において、風向の上下左右が正確に区分できず複合的な場合、例えば、左上方向の場合には、前記本体（５）の中心で左側と上側に位置された前記指示光子（８）を発光させて、前記指示光子（８）間の範囲の角度に風向が発生されることを表示する。
【００４７】
これと共に、風速に関するデータは、発光される前記指示光子（８）の数を通じて、数が増加するほど高い風速を指示するように表示する。
【００４８】
よって、風速を容易に認知しながら打撃練習をすることができる。
【００４９】
このように行われる本実施例によるゴルフ練習用ターゲット（１）は、前記感知手段（６）を通じたゴルフボール（３）の運動に対する感知結果を演算して前記視覚的表示手段の点滅により表示を制御する制御手段を有する。
【００５０】
これにより、前記制御手段を通じて、前記感知手段（６）を構成する衝撃感知センサーによりゴルフボール（３）が前記本体（５）を衝撃する場合、感知されたデータの印加を受けて演算し、前記視覚的表示手段を点滅させて使用者がこれを認識できるようにすることが好ましい。
【００５１】
すなわち、前記において、前記制御手段は、前述のように、前記発光子の点滅を制御してゴルフボール（３）が前記本体（５）に衝撃した結果を表示させることが好ましい。
【００５２】
これと共に、前記制御手段は、使用者がゴルフボール（３）を打撃する空間的範囲に対する風向／風速情報を受けて、前記視覚的表示手段を通じて風向を指示するためのパターンによって前記点滅信号を調節して使用者がこれを認識できるようにすることが好ましい。
【００５３】
すなわち、前記において、前記制御手段は、前述のように、前記指示光子（８）の点滅を制御して、風向及び風速を指示することにより使用者がこれを認識できるように構成されることが好ましい。
【００５４】
また、前記制御手段は、使用者が打撃したゴルフボール（３）が前記本体（５）を外れた運動軌跡を有する場合、前記視覚的表示手段を通じて前記ゴルフボール（３）の運動方向に対する表示をする点滅信号が調節できるように構成されることが好ましい。
【００５５】
すなわち、前記において、前記制御手段は、前述のように、前記発光子（７）の点滅を制御して、前記本体（５）を中心にゴルフボール（３）が進行された方向を表示して使用者に認識させることにより、打撃されたゴルフボール（３）の方向を認知させることが好ましい。
【００５６】
そして、前記制御手段は、使用者が打撃したゴルフボール（３）の軌跡を前記感知手段（６）を通じて入力を受けて、ゴルフボール（３）の軌跡に対応して、前記視覚的表示手段に該当する前記発光子（７）の点滅を制御してゴルフボールの軌跡に対する結果を表示させることが好ましい。
【００５７】
前記のように行われる本実施例によるゴルフ練習用ターゲット（１）は、前記本体（５）において、前記導光板（４）の内部空間は貫通された貫通孔（９）を有することが好ましい。
【００５８】
また、前記貫通孔（９）には、遮断膜（１０）が設けられて前記貫通孔（９）を閉鎖するように形成されることが好ましく、この場合、前記遮断膜（１０）にはゴルフボール（３）が衝突する場合の状態を感知できるように前記感知手段（６）を構成する前記衝撃感知センサーが備えられることが最も好ましい。
【００５９】
これにより、使用者が打撃したゴルフボール（３）が前記本体（５）の中心部位に正確に打撃される場合、前記衝撃感知センサーがこれを感知してデータを獲得できる。
【００６０】
前記において、前記遮断膜（１０）は、アクリル材質からなる板またはネットからなることが最も好ましい。
【００６１】
特に、遮断膜（１０）はその表面が平面であるか、または平面に近い構造で設けられ、遮断膜（１０）に衝突したゴルフボールが容易に下方に滑るようにする。
【００６２】
前述のように行われる本実施例によるゴルフ練習用ターゲット（１）の作用効果を詳細に説明すると次の通りである。
【００６３】
本実施例によるゴルフ練習用ターゲット（１）は、図８に示されたように、ゴルフボール（３）を打撃する使用者の前方に設けられ、打撃目標点として適用される。
【００６４】
使用者が本実施例によるゴルフ練習用ターゲット（１）を通じて打撃練習をする場合、まず、前記導光板（４）を発光させると共に、前記視覚的表示手段を通じて練習空間でゴルフボール（３）の軌道に直接的な影響として作用する風向及び風速を使用者に表示する。
【００６５】
このとき、前述のように、風向や風速に応じて、設定されたデータに基づいて演算して、前記指示光子（８）をそれぞれ個別的に発光させて前記のように風向及び風速を表示する。
【００６６】
このように、使用者に打撃環境に関するデータが認知できるように表示すると、使用者は夜間にも打撃目標点を容易に識別することができ、実際のゴルフ場で運動する効果を体感しながら打撃することができる。
【００６７】
前述のような情報を認知しながら使用者がゴルフボール（３）を打撃すると、打撃されたゴルフボール（３）は、運動軌道によって進行し、前記感知手段（６）を通じてゴルフボール（３）の運動軌跡及び速度をリアルタイムで感知及び追跡し、演算して情報を得ることができる。
【００６８】
このように、打撃されたゴルフボール（３）の弾着点が演算されると、前記制御手段に獲得した情報を入力し、これに基づいて前記制御手段が前記視覚的表示手段を調節して打撃されたゴルフボール（３）の運動に対する結果を表示して使用者が自分の打撃に対する結果を確認することができる。
【００６９】
図９及び図１０は、本発明による他の実施例によるゴルフ練習用ターゲットを示す図面であり、本実施例によるゴルフ練習用ターゲット（１）において、前記本体（５）は、固定フレーム（１１）に軸固定されて前記衝撃感知センサーで感知された感知データを演算及び制御して後方にフォールディングして回転するようになっている。
【００７０】
衝撃感知センサーはカメラで代替でき、カメラを通じてゴルフボールが前記本体（５）に衝撃したか否かを感知して、後方にフォールディングされて回転するように制御できる。
【００７１】
すなわち、使用者が正確な打撃をする場合、立体的な視覚効果を有することができるので、さらに興味を誘発させることができる。
【００７２】
前記において、前記固定フレーム（１１）には、回転された前記本体（５）が後方にフォールディングされて回転するか、または元の位置に復帰するようになった電動ヒンジが備えられる。
【００７３】
これにより、設定された時間が経過すると、前記本体（５）を元に位置に戻して次の打撃練習を直ちに遂行することができる。
【００７４】
前記において、前記電動ヒンジは、縦断が前記固定フレーム（１１）に回動可能に軸結合され、ピストンロードの縦断は前記本体（５）の一端部に回動可能に軸結合されるシリンダー（１２）からなることが好ましい。
【００７５】
すなわち、前記シリンダ（１２）を制御して前記本体（５）の回転を選択的に制御でき、前記本体（５）の回転に対する信頼性が確保できる。
【００７６】
前述のように、本実施例によるゴルフ練習用ターゲットは、夜間にも使用者が容易に識別できるように構成された導光板と、練習場の風向および風速に関する情報を提供し、打撃されたボールの方向を指示して打撃に対する結果を肉眼で認知できるようになった前記感知手段と、視覚的表示手段及びこれらを制御して調節できるようになった制御手段からなることを技術的構成の特徴とする。
【符号の説明】
【００７７】
１    ターゲット              
２    遮断ネット
３    ゴルフボール            
４    導光板
５    本体                    
６    感知手段  
７    発光子                  
８    指示光子
９    貫通孔                  
１０  遮断膜
１１  固定フレーム          
１２  シリンダー
【図１】
2016030199.tif 000003
【図２】
2016030199.tif 000004
【図３】
2016030199.tif 000005
【図４】
2016030199.tif 000006
【図５】
2016030199.tif 000007
【図６】
2016030199.tif 000008
【図７】
2016030199.tif 000009
【図８】
2016030199.tif 000010
【図９】
2016030199.tif 000011
【図１０】
2016030199.tif 000012